Podtech/llm-jp-corpus-v4-ja_patent huggingface dataset:
(57)【要約】      （修正有）【課題】  ポケット（物入れ）を兼用できて未使用時にはコンパクトに収納できる夜光たすきを提供する。【解決手段】  夜光機能７があるベルト１を有するたすきであり、ベルトの途中にポケットになる袋２があり、たすき未使用時には、その袋に折り畳んだベルトを収納できることを特徴とする夜光たすき。【選択図】  図１
2008046429.tif 000002
【特許請求の範囲】
【請求項１】
夜光機能があるベルトを有するたすきであり、ベルトの途中にポケットになる袋があり、たすき未使用時には、その袋に折り畳んだベルトを収納できることを特徴とする夜光かすき。
【請求項２】
袋がファスナーで左右に開閉できるものであり、ベルトの二つの端部が袋内の上部と下部に接続されており、ベルトを取り出して袋を内外反転させると、ベルトの端部は袋の外面で接続される状態になる請求項１の夜光たすき。
【請求項３】
ベルトに長さ調整機構が設けられている請求項１又は２の夜光たすき。
【請求項４】
袋に係止用のリングが付いている請求項１〜３いずれかの夜光たすき。
【発明の詳細な説明】
【技術分野】
【０００１】
本発明は、夜間の散歩等のときに他者からその存在を認識して貰うために掛ける夜光たすきに関するものである。
【背景技術】
【０００２】
夜間に（昼間でもよいが）散歩に出るとき等には自分の存在を他者から認識して貰うために夜光たすきを掛ける。この種の夜光たすきには下記特許文献１を始め種々のものがあるが、あくまで肩に掛けたり、物に取り付けたりする発光認識であり、それ以外に用途のあるものではなかった。
【特許文献１】特開２００２−１５７９０１号公報
【発明の開示】
【発明が解決しようとする課題】
【０００３】
本発明は、たすきを構成するベルトに袋を取り付けて物入れの用途を付加するとともに、ベルトを折り畳んだときにはこの袋に完全に収納できるようにしてコンパクトにできるようにしたものである。加えて、ベルトと袋との接続構造に工夫を加えて機能、デザインにも優れるものにしたものである。
【課題を解決するための手段】
【０００４】
以上の課題の下、本発明は、請求項１に記載した、夜光機能があるベルトを有するたすきであり、ベルトの途中にポケットになる袋があり、たすき未使用時には、その袋に折り畳んだベルトを収納できることを特徴とする夜光かすきを提供する。そして、これにおいて、請求項２に記載した、袋がファスナーで左右に開閉できるものであり、ベルトの二つの端部が袋内の上部と下部に接続されており、ベルトを取り出して袋を内外反転させると、ベルトの端部は袋の外面で接続される状態になる手段、請求項３に記載した、ベルトに長さ調整機構が設けられている手段、さらに、請求項４に記載した、袋に係止用のリングが付いている手段を提供したものである。
【発明の効果】
【０００５】
請求項１の手段によると、たすきを掛けて使用しているときには、袋がポケット（物入れ）になり、使用しないときには、たすきを袋に収納できてコンパクトになる。請求項２の手段によると、使用時にはベルトと袋の関係が自然になり、非使用時にはベルトを完全に袋に収納できる。請求項３の手段によると、ベルトの長さが体格に合わせて調整でき、請求項４の手段によると、小さくまとめて目に触れ易い所に置いておける。
【発明を実施するための最良の形態】
【０００６】
以下、本発明の実施の形態について図面を参照して説明する。図１〜図４はこの夜光たすきの説明図であるが、この夜光たすきは、共に可撓性部材からなるベルト１とその途中に設けられる袋２からなる（図１）。ベルト１は、適当幅のものを袋２の上下に繋げてあり、途中に長さ調整機構３が設けられている。袋２は、ベルト１を収容できる程度の大きさを有しており、裏面に開閉のためのファスナー４が付いている。ベルト１と袋２の接続は、ベルト１の二つの端部を袋２の中で上下の部分に溝を切って差し込んであり、差し込んだ部分に幅広のストッパ５を取り付けて抜出を防いでいる。
【０００７】
この状態で、ベルト１を袋２に収容すると（図２）、ベルト１は完全に袋２の中に収容できるものとなる。なお、ストッパ５が袋２の上下に覗いているが、その一つにドアノブ等に掛けることができる大きさの可撓性のリング６が取り付けてある。袋２はファスナー４を開くと、内外（表裏）が反転できるようになっており（図３）、反転させると、ストッパ５は袋２の中に納まり、ベルト１は袋２の外面から直接延出された形態になる（図４）。
【０００８】
このとき、ベルト１の位置は袋２の裏面（ファスナー４が設けられる面）とほぼ同じ位置になるように設定されており、ベルト１を肩に掛けて使用するとき、ベルト１の裏面から袋２があまり突出しないようにしてある。そして、ベルト１の表面（袋２の表面側に来る面）には適当幅の夜光素材７が付加されている。なお、夜光素材７は袋２に付加してもよい。
【０００９】
以上により、この夜光たすきを使用しないときには、ベルト１を袋２の中に収容して玄関のドアノブ等に掛けておけばコンパクトに収まる。一方、使用するときには、これを外してファスナー４を開け、中のベルト１を取り出して袋２を内外反転させる。この状態でベルト１を肩に掛ければたすきとなり、同時に袋２がポケット（ポシェット）代わりになり、散歩にも携帯する必要があるカメラ、携帯電話、キーホルダーといった小物の物入れとなって便利なものになる。そして、ファスナー４で口を閉じておけば、中に収納した物がこぼれ出ることもない。なお、このとき、袋２の位置は出し入れのし易い腰の辺りの位置になるようにしておくのが適するとともに、長さは、長さ調整機構３によって調整することになる。
【図面の簡単な説明】
【００１０】
【図１】本発明の一例を示す夜光たすきの説明図である。
【図２】本発明の一例を示す夜光たすきの説明図である。
【図３】本発明の一例を示す夜光たすきの説明図である。
【図４】本発明の一例を示す夜光たすきの説明図である。
【符号の説明】
【００１１】
１    ベルト
２    袋
３    長さ調整機構
４    ファスナー
５    ストッパ
６    リング
７    夜光素材
【図１】
2008046429.tif 000003
【図２】
2008046429.tif 000004
【図３】
2008046429.tif 000005
【図４】
2008046429.tif 000006
(57)【要約】【課題】本発明は、チャンネルオプション２の遺伝子を含むウイルスベクターとトランスジェニック動物、ならびに遺伝子機能を賦与することによる神経治療方法に関する。【解決手段】本発明はウイルスベクターを用いて眼内に遺伝子導入を行うことで視覚機能を再生する方法を提供する。詳細には、本発明は、チャンネルオプション２の遺伝子を含むウイルスベクターを提供し、残存する神経細胞に光受容能を賦与し、網膜の機能障害を治療する視覚機能再生のモデルとして、網膜へ遺伝子導入することで、失明者の網膜や変異等に起因する各種の眼疾患に伴う視覚機能障害の治療に有効である。【選択図】なし【特許請求の範囲】
【請求項１】
ウイルスベクターを用いて眼内に遺伝子導入を行うことで視覚機能を再生する方法であって、あらかじめアデノ随伴ウイルスのウイルスベクターを生成する方法と、チャンネルオプション２を含むウイルスベクターを用いて網膜細胞にチャンネルオプション２のＤＮＡを導入し、光受容細胞とすることを具備することを特徴とする視覚機能の再生方法。
【発明の詳細な説明】
【発明の開示】
【０００１】
本発明は、チャンネルオプション２の遺伝子を含むウイルスベクターとトランスジェニック動物、ならびに遺伝子機能を賦与することによる神経治療方法に関する。
【０００２】
詳細には、本発明はウイルスベクターを用いて眼内に遺伝子導入を行うことで視覚機能を再生する方法を提供する。詳細には、本発明は、チャンネルオプション２の遺伝子を含むウイルスベクターを提供し、残存する神経細胞に光受容能を賦与し、網膜の機能障害を治療する視覚機能再生のモデルとして、網膜へ遺伝子導入することで、失明者の網膜や変異等に起因する各種の眼疾患に伴う視覚機能障害の治療に有効である。
【０００３】
本発明は、チャンネルオプション２の遺伝子を含むウイルスベクターとトランスジェニック動物及び遺伝子機能を用いた神経治療方法に関する。
【０００４】
実験動物モデルは、遺伝子の役割を理解するための重要な手段である。特定遺伝子を有する動物を用いての検証には、遺伝子機能の研究にとって計り知れないほど貴重であり、そしてヒトにおける同様な発現を有する疾患の原因となる遺伝子および／または機構の予期せぬ発見につながっている。これらの遺伝的に操作された動物はまた、種々の疾患および障害のための治療的処置を同定および試験するためにも非常に有用である。
【０００５】
失明は、習慣病及び遺伝による神経障害、環境因子に関与していると推察される。一旦失われた視機能を再生する方法は皆無であり、唯一の方法として、世界的に工学的技術を利用した人工網膜が研究されている。
【０００６】
本発明の請求項１に記載の視覚機能の再生方法は、
ウイルスベクターを用いて眼内に遺伝子導入を行うことで視覚機能を再生する方法であって、あらかじめアデノ随伴ウイルスのウイルスベクターを生成する方法と、チャンネルオプション２を含むウイルスベクターを用いて網膜細胞にチャンネルオプション２のＤＮＡを導入し、光受容細胞とすることを具備することを特徴としている。
【実施例】
【０００７】
チャネルオプシン２遺伝子導入による遺伝盲ラットの視機能再建の実験を行った。
【０００８】
網膜の光伝達様式は、一次ニューロンである視細胞で光を受容し、二次ニューロンである双極細胞、水平細胞で情報処理が行われた後、三次ニューロンの神経節細胞を介して脳に情報が伝達される。加齢黄斑変性や網膜色素変性などの疾患では一次ニューロンである視細胞が選択的に障害されるため、その他のニューロンが生存していたとしても、光を受容することができなくなり、失明に至る。これらの疾患に対する治療法はなく、現在、唯一の視機能再建方法として、工学的技術を用いた人工網膜が世界中で研究されている。しかし、現在試作されている人工網膜チップの網膜刺激電極の数は１００個程度であり、約１００万個存在する網膜神経節細胞の機能を代用することは不可能である。
【０００９】
緑藻類より単離された光受容能とイオンチャネル能を有するチャネルオプシン2は、その特性から細胞に導入することで細胞に光受容能を賦与することができることが知られている。我々はウイルスベクターを用いて、チャネルオプシン２遺伝子を遺伝盲ラットの残存する網膜神経細胞に導入することで視機能を再建できるかどうかについて、電気生理学的および行動学的に調べた。
【００１０】
チャネルオプシン2遺伝子をアデノ随伴ウイルスベクターを用いて、遺伝盲ラットの網膜細胞に導入した結果、導入前に全く認められなかった視覚誘発電位が記録された。この結果はチャネルオプシン２遺伝子導入によって、何らかの視覚情報が脳に伝達されていることを示している。どのような視覚が得られているかを調べるために、ラットの首振り運動により調べた。この結果、遺伝子導入されたラットは青白の縞模様を判別できることが明らかとなった。また、遺伝子導入効率を調べた結果、網膜神経節細胞の約３０％に導入され、３０万個の細胞が光受容細胞になったと考えられる。
【００１１】
以上のように、チャネルオプシン２遺伝子の導入によって、視機能を再建できることが明らかとなった。
(57)【要約】【課題】ゴミ箱の投入口は板状のものが多く、ゴミ箱の文字を読まなければ分別の判断がしづらく捨てにくかった。また、異物が投入されても気が付きにくい状況であった。【解決手段】ゴミ箱の投入口を透明な筒状（１）にし、底部に反発材（３）を取り付ける。ゴミが投入された際に、そのゴミを筒の中で一時的に停滞させ（４）、新しく捨てられるゴミ（５）に押し込まれることにより、ゴミ箱本体（２）に落ちるようにする。これによりゴミを外部から目視により確認することができる状態にする。【選択図】図１
2008201577.tif 000002
【特許請求の範囲】
【請求項１】
透明な筒状で一時的にゴミを停滞させることにより、捨てられたゴミが外部から目視で確認することのできる、既設のゴミ箱のふたに取付けするゴミ箱の投入口。
【発明の詳細な説明】
【発明の詳細な内容】
【技術分野】
【００１】この発明は、ゴミ箱の投入口の形状・機能に関する。
ゴミ箱の投入口を透明な筒状にして、そこに一時的にゴミを停滞させることにより捨てられたゴミを外部から確認できるようにする。
分別回収の精度を高め、異物の投入を抑止する効果をもたらす。
【背景技術】
【０００２】従来のゴミ箱の投入口は板状のものである。
【解決しようとする課題】
【０００３】ゴミを捨てるとき、ゴミ箱の文字の表示をみて判断していた。
缶・ビン・ペットボトルの投入口は同じ形で判断しづらい。
また、捨ててしまえば見えなくなるので、分別せず捨てられたり、異物を投入される危険性が高かった。
【課題を解決するための手段】
【０００４】透明な筒状の投入口の底部にブラシやゴム等の反発する素材を取り付ける。
底部の反発材のところで一時的に停滞したゴミは次に捨てられたゴミに押し込まれることによって、ゴミ箱の本体へ落下する仕組みである。
【発明の効果】
【０００５】この投入口にすることにより、捨てられたゴミは停滞している間は目視で外部から確認することができる。
外部から見えるので、次に捨てる人もゴミ箱の分別内容がわかるので、分別の精度が上がる。
また、捨てたゴミが周囲から確認できるので、異物や危険物の投入を抑止する効果がある。
【図面の簡単な説明】
【０００６】
【図１】本発明の断面図である。
【図２】本発明のゴミ箱の投入口を取付けた使用状態をあらわす斜視図である。
【符号の説明】
１透明な筒
２ゴミ箱本体
３反発材
４停滞しているゴミ
５新しく捨てられるゴミ
【図１】
2008201577.tif 000003
【図２】
2008201577.tif 000004
(57)【要約】【課題】脳保護薬として有用なエダラボンの工業的有用な製造方法を提供すること。【解決手段】アセト酢酸メチルエステルとフェニルヒドラジンとを、無溶媒下で反応させることにより３−メチル−1−フェニル−２−ピラゾリン−５−オンを得る方法。この方法において、好ましくは８０℃〜１２０℃で行うことができ、さらに好ましくは光を遮断して窒素雰囲気中で行うことができる。【選択図】なし【特許請求の範囲】
【請求項１】
アセト酢酸メチルエステルとフェニルヒドラジンとを、無溶媒下で反応させることを特徴とする３−メチル−1−フェニル−２−ピラゾリン−５−オンの製造方法。
【請求項２】
アセト酢酸メチルエステルとフェニルヒドラジンとを、８０℃〜１２０℃で反応させることを特徴とする請求項１に記載の方法。
【請求項３】
アセト酢酸メチルエステルとフェニルヒドラジンとを、光を遮断して窒素雰囲気中で反応させることを特徴とする請求項１又は請求項２に記載の方法。
【発明の詳細な説明】
【技術分野】
【０００１】
本発明は、３−メチル−1−フェニル−２−ピラゾリン−５−オン（一般的名称：エダラボン）の製造方法に関する。
【背景技術】
【０００２】
本発明に係る前記エダラボンは、生体内でフリーラジカル消去剤として機能し、脳梗塞急性期に伴う神経症候、日常生活動作障害又は機能障害の改善に有用な医薬である（非特許文献１）。
従来、エダラボンの製造方法は種々検討されている。その中には、アセト酢酸メチルエステルとフェニルヒドラジンとをエタノール中で反応させる方法（非特許文献２）や、無溶媒下でアセト酢酸エチルエステルとフェニルヒドラジンとを反応させる方法（非特許文献３）が開示されている。しかし、本発明者がその２方法のみならず、その他の従来方法について追試したところ、文献記載通りの好結果が得られず、反応条件が過酷である、副生物が増加する、あるいは反応終了までに長時間を要するなど、これらの方法は、いずれもエダラボンの製造方法として用いるには、解決すべき課題があることが判明した。
【０００３】
【非特許文献１】「薬学雑誌」、第１２４巻、第３号、２００４年、ｐ．９９−１１１
【非特許文献２】「ジャーナル・オブ・ヘテロサイクリック・ケミストリー（Journal  of Heterocyclic Chemistry）」、１９８４年、第２１巻、ｐ．１７４７−１７５２
【非特許文献３】「トレンズ・イン・ヘテロサイクリック・ケミストリー（Trends in Heterocyclic Chemistry）」、１９９０年、第１号、ｐ．５５−６２
【発明の開示】
【発明が解決しようとする課題】
【０００４】
本発明の課題は、前記した従来技術の課題を解決し、エダラボンの工業的に有利な製造方法を提供することにある。
【課題を解決するための手段】
【０００５】
本発明者は、前記課題を解決するために、従来技術の文献に具体的な記載や示唆もない反応試薬の組合わせと反応条件について鋭意検討した。その中で、アセト酢酸メチルエステルとフェニルヒドラジンとを無溶媒下で反応させたところ、予期に反し、緩和な反応条件のもと短時間で反応が終了し、しかも好収率でエダラボンが得られた。そこで、好ましい反応条件等についてさらに検討を加え、所期の目的を達成する本発明を完成することができた。
【０００６】
すなわち、本発明によれば、次の（１）、（２）及び（３）の方法を提供することができる。
（１）アセト酢酸メチルエステルとフェニルヒドラジンとを、無溶媒下で反応させ
ることを特徴とする３−メチル−1−フェニル−２−ピラゾリン−５−オンの製造方法。
（２）アセト酢酸メチルエステルとフェニルヒドラジンとを、８０℃〜１２０℃で反応させることを特徴とする前記（１）に記載の方法。
（３）アセト酢酸メチルエステルとフェニルヒドラジンとを、光を遮断して窒素雰囲気中で反応させることを特徴とする前記（１）又は（２）に記載の方法。
【発明の効果】
【０００７】
アセト酢酸メチルエステルとフェニルヒドラジンとを無溶媒下で直接反応させることにより、緩和な反応温度下でも効率よく反応が進み、ほぼ定量的に目的とするエダラボンが得られる。
【発明を実施するための最良の形態】
【０００８】
本発明において、アセト酢酸メチルエステルとフェニルヒドラジンとの使用比率は、前者１モルに対し、後者を１倍モル〜１．５倍モルが好ましく、さらに好ましくは１倍モルから１．２倍モルである。反応温度は５０℃〜１５０℃が好ましく、さらに好ましくは８０℃〜１２０℃である。そのような条件下で反応は、概ね１時間〜１０時間で終了する。また、本反応は光を遮断して窒素雰囲気下で行うことが好ましい。
【０００９】
反応終了後は、反応物にメタノール、エタノール、１−プロパノール、１−ブタノール、ジエチルエーテル、ジイソプロピルエーテル、テトラヒドロフラン、ベンゼン、トルエン、アセトニトリル、Ｎ，Ｎ−ジメチルホルムアミド等の有機溶媒を加えて放置することにより、エダラボンの結晶を得ることができる。
【実施例】
【００１０】
アセト酢酸メチルエステル１２２．２３ｇ（純度９５％：ナカライテスク株式会社）（１．００モル）にフェニルヒドラジン１１４．７０g（純度９９％：ナカライテスク株式会社）、または、８２−８４℃／０．８ｍｍＨｇ減圧蒸留品)（１．０５モル） を撹拌下に３０℃以下で徐々に加え、滴下終了後０．５時間撹拌した。次いで、湯浴温度を１００℃に上げて窒素雰囲気下で２時間加熱した。反応中間体である３−（２−フェニルヒドラゾノ）ブタン酸メチルエステルの消失をＴＬＣ分析により確認した後、反応液を熱時に５０％含水エタノール３２０ｍｌで希釈し、室温にて一晩撹拌した。析出した結晶を吸引濾取し、５０％含水エタノールで洗浄、室温にて減圧乾燥したところ、目的とした３−メチル−1−フェニル−２−ピラゾリン−５−オン（エダラボン）１６９．５３ｇ（純度９９．８３％）（収率：９７．４％）が得られた。
【００１１】
融点：１２９．５℃
ＩＲ（ｃｍ−１；ＫＢｒ）：３１３０，１６００，１５２０，１５００，１１６０，８０４，６９２
元素分析：実測値（％）Ｃ：６９．０１、Ｈ：５．８３、Ｎ：１６．０２
計算値（％）Ｃ：６８．９５、Ｈ：５．７９、Ｎ：１６．０８
ＦＡＢ−ＭＳ（ｍ／ｚ）：実測値  １７５．０８７８３（［ＭＨ］＋）
計算値  １７５．０８７１５（［ＭＨ］＋）
１Ｈ−ＮＭＲ（ＣＤＣｌ３）δ（ｐｐｍ）：２．１７（３Ｈ，ｓ），３．４０（２Ｈ，ｓ），７．１７（１Ｈ，br t，Ｊ＝８Ｈｚ），７．３９（２Ｈ，br t，Ｊ＝８Ｈｚ），７．８５（２Ｈ，br t，Ｊ＝８Ｈｚ）
１３Ｃ−ＮＭＲ（ＣＤＣｌ３）δ（ｐｐｍ）：１７，４３，１１９，１２５，１２９，１３８，１５７，１７１
【産業上の利用可能性】
【００１２】
本発明によれば、フリーラジカル消去剤として有用なエダラボンを、緩和な条件下で短時間のうちに高収率で得ることができる。したがって、本発明は、エダラボンの工業的に有利な方法として利用することができる。
(57)【要約】【課題】本発明の目的とするところは、型枠コストを抑え短期間に量産する事を可能にし、且つ輸送コストを極限まで削減することを可能にするプレキャストコンクリート梁の製作方法を提供することにある。【解決手段】コの字型に折り曲げられた薄板鋼製型枠に簡易剥離加工を施し鋼製型枠を転用することで製作でき、型枠解体時に上述鋼製型枠上端を若干広げるだけでプレキャストコンクリート梁を容易に脱型させることを可能とするプレキャストコンクリート梁の製作方法。【特許請求の範囲】
【請求項１】
コの字型に折り曲げられた薄板鋼製型枠に簡易剥離加工を施し鋼製型枠を転用することで製作できる量産プレキャストコンクリート梁の製作方法。
【請求項２】
型枠解体時に上述鋼製型枠上端を若干広げるだけでプレキャストコンクリート梁を容易に脱型させることを可能とする請求項１記載のプレキャストコンクリート梁の製作方法。
【発明の詳細な説明】
【技術分野】
【０００１】本発明は建築物に同じ寸法の梁がいくつもある場合などに有効な量産プレキャストコンクリート梁の製作方法に関するものである。
【背景技術】
【０００２】従来、建築物の梁等は既設下層階の床面に多数の支柱を立てて上層階高さにまで届く支保工を組み上げると共に、この支保工の上に多数の木製合板による梁型枠を組み上げるか、この支保工上にいわゆる捨て型枠などを使用し、コンクリート梁を現場で打設していた。この方法は現場毎に同じ製作物が存在した時は転用し、違う場合はそれなりに組み合わせや加工をすることでその場にあった物を製作することが可能である。【０００３】現場打設をしない従来例としては、工場などで製作するいわゆるプレキャストコンクリート等がある。この方法は、一般に高耐久金属製型枠を使用するためほぼ永久的に使用することが出来また不要になればリサイクルすることも可能である。また、現場での型枠加工や支保工組み上げの手間及びその危険性、解体後の合板の廃棄等が無くまた、捨て型枠のように打ち捨ててしまう型枠のコストが掛からない等の利点がある。
【発明の開示】
【発明が解決しようとする課題】
【０００４】上述の木製合板による梁型枠を組み上げるか、この支保工上にいわゆる捨て型枠などを使用し、コンクリート梁を現場で打設していた方法では、現場加工や支保工組み上げ等のために多大な手間がかかること、重量物の頭上での構築に関する安全性の問題、支保工解体後に回収される木製合板は再使用不能のため、大量の廃棄物が発生して、その処分費用も掛かる等の問題点がある。【０００５】上述のプレキャストコンクリートでは型枠そのものの製作日数もかかるうえ、一般には建物ごとに寸法が違うので建物ごとに型枠を製作しなければならないが、高耐久金属製型枠は大変高価でコストの面で無理がある。また１セットの型枠で一つの梁を製作する場合、型枠の転用サイクルが、組み立てや出来上がった梁をはずす工程も長時間かかることから最低でも３日以上掛かるため１００本の梁を製作する場合最低でも３００日必要で、短縮したければ型枠の数を増やす事しか出来ない為さらに高コストになり、期間の限られている建設現場には向かずまた、大きな梁を何本も工場から輸送するコストも掛かり現実的ではなかった。【０００６】本発明は上述のような問題点に着目してなされたものであり、その目的とするところは、型枠コストを抑え短期間に量産する事を可能にし、且つ輸送コストを極限まで削減することを可能にするプレキャストコンクリート梁の製作方法を提供することにある。【０００７】この発明の目的並びに作用効果については、以下の明細書の記載を参照することにより、当業者であれば容易に理解される筈である。
【発明が解決するための手段】
【０００８】本発明は上述の問題点を改善し、利点を有効に活用できることを目的として提案された製作方法で、コの字型に折り曲げられた薄板鋼製型枠に簡易剥離加工を施し脱型時に薄板鋼製型枠を若干広げるだけでプレキャストコンクリート梁を容易に脱型することを可能にするプレキャストコンクリート梁の製作方法である。
【発明を実施するための最良の形態】
【実施例】
【０００９】以下に、本発明の好適な実施の一形態を説明する。なお、念のため付言すれば、本発明の要旨は特許請求の範囲によってのみ特定されるものであり、以下の実施の形態は本発明の一例を示すものに過ぎない。【００１０】まず型枠の水平垂直を確保する目的と、型枠補強材（桟木、鋼管など）の簡易設置および脱型時の型枠の押さえ込みを可能にする為に重量鉄骨を型枠の長手方向と直交に数本敷く。この時当然製作する梁の重量により重量鉄骨の太さを、梁の長さにより設置する本数を、一度に何本の梁を作るかによって重量鉄骨の長さを調整する。この重量鉄骨は一定の平面を最低でも上下に確保し、各鉄骨の高さを揃え、また水平を出しておくことは言うまでも無い。【００１１】型枠は鋼製打ち込み型枠などの梁長手両側面及び底面部分が一体となったコの字型を持つ物を出来る事なら継ぎ足しなどが無い状態で使用し、この型枠を重量鉄骨の上に設置する。この時複数本の梁を同時に制作する場合は作業場所確保のために最低でも人が一人行き来できるほどの幅を各型枠間に確保しておく。【００１２】上述の重量鉄骨及び型枠設置とは別に梁の製作本数分先行して鉄筋組み立てを行う。この時通常の梁用の鉄筋組み立てと同様に配管などのスリーブの確保や柱との接続部分も予め用意しておく。【００１３】組みあがった鉄筋をレッカーなどで吊り上げ型枠に挿入する。【００１４】鋼製型枠の両側に蓋をする。必要ならば鋼管及び桟木で型枠を補強する。【００１５】コンクリートを打ち込む。【００１６】コンクリートが脱型可能になったらまずは鋼管及び桟木などのサポート材を解体するが、この時次回のコンクリート打設がある場合は脱型可能な程度に緩め、鋼製型枠の両側に配置した型枠を取り外す。【００１７】鋼製型枠上端部と下の重量鉄骨を約４５度の角度で長さを調整できるチェーンやワイヤー等を張って鋼製型枠上端部の開口部が開いていくため、この段階でコンクリート梁は型枠から外れる。その後張ったワイヤー等を開放すると型枠は元の形状に戻る。【００１８】あとはクレーンやレッカーを使用して梁を持ち上げストックし、再度組みあがった鉄筋を挿入し上述の工程を繰り返せば簡単に梁を量産することが出来る。
【発明の効果】
【００１９】木製合板による現場での梁型枠組み立て作業が無くなった事により
１    現場各場所の梁型枠の組み立て解体作業が無くなり作業性が向上した。
２    施工期間の短縮が出来た。
３    安全性の向上ができた。
４    大量な木製合板等の消耗型枠の廃棄などの手間が無くなった。
【００２０】また、一般的な高耐久金属製型枠でのプレキャストコンクリート梁製作でないために、同じ金属製型枠でも大量に直ぐに安価で手に入るようになったため作業期間が短縮出来、コストを抑えられるようになった。
(57)【要約】      （修正有）【課題】自転車のペタルを踏むとき、ペダルの位置が体の重心から離れるので踏む力が小さくなってしまうのを改善する。【解決手段】固定プ−リ−と遊星プ−リ−とを連動させてペダルの周回運動を直線又は、楕円の周回軌道にする事でより体の重心に近い位置でペダルを踏む事ができ、踏む力を大きくすることができる。【選択図】図１
2008201397.tif 000002
【特許請求の範囲】
【請求項１】
ボスに固定された歯車に伝動歯車を介した遊星歯車は、クランクと共に固定歯車の回りを回転する、この時固定歯車の径が２に対して遊星歯車の径は１である。依ってクランクが左へ一回転すると遊星歯車とこれに一体になっている回転腕は右へ一回転する事に依りペダルの周回軌道が楕円又は、直線往復運動になる。
【請求項２】
クランクと回転腕の長さの対比を変える事で、ペダルの周回軌道、方向を変える事ができる
【請求項３】
ベルト車及びチェ−ンリングをクランクと兼用できる
【発明の詳細な説明】
【技術分野】
【０００１】  本発明は、自転車のペダルの周回軌道が楕円又は直線軌道のクランクの構造に、関する物
【背景技術】
【０００２】  従来のクランクでは、図５  図６の１で示す様に、ペダルの位置が駆動力の大きくなる位置に於ては、ペダルの位置が体の重心から前方へ離れてしまうので、踏む力が小さくなる。
【発明の開示】
【発明が解決しようとする課題】
【０００３】  従来のクランクでは、ペダルを踏む位置に於て図５の１では、駆動力の最も大きくなるペダルの位置が体の重心から離れるので踏む力が小さくなる。【０００４】  踏む力が有効に働く為には、体の重心から近い位置でペダルを踏む事の出来る様な構造にする。
【課題を解決する為の手段】
【０００５】  踏む力が有効に働く為には、図５  図６の２に示す様なペダルの周回軌道になるクランクギヤの構造が理想的である。
【０００６】  図５−７−８に示すようにペダルの回転軌道を縦長の楕円軌道にする事で、より体の重心に近い所でペダルを踏む事で駆動力が大きくなる。
【発明の効果】
【０００７】  従来のクランクギヤより体の重心に近い所でペダルを踏む事が出来るので大きな駆動力が生じる。
【０００８】  図５で示す２点鎖線の円と楕円は同じ回転半径ですが円周は、楕円と実線の小さい円とが同じである、依って楕円形は、従来のクランクより運動効率が良い。
【発明を実施する為の最良の形態】
【０００９】  以下、本発明の実施の形態を図１から図８に基づいて説明する。
【００１０】  図１は、図２の矢印に沿った断面図である。ボス１に固定したプ−リ−１２の中心に通したシャフト２０にクランク１５とクランクを兼ねた後輪を駆動するベルト車１４と一体化している。ボスに固定したプ−リ−１２と遊星ブ−リ−１３は、ベルト１８で連動する、径の大きさは、固定プ−リ−２に対して遊星プ−リ−は、１である、クランク１５と１４が左へ一回転すると、遊星プ−リ−１３と一体化している回転腕１６は、右へ１回転するクランク１５の長さ１に対して回転腕１６は２である依って図８に示した楕円軌道を描く事になる。
【００１１】  図８の図面は、図１の回転角度が２０度づつの動きを示している。破線は、クランク１５を、実線は回転腕１６を、ペダル８は、０で表わしている。
【００１２】  クランクと回転腕の長さを等しくするとペダルの動きは直線往復運動になる。
【００１３】  図３は、図４の矢印に沿った断面図である。ボス１に固定した歯車２の中心にシャフト２０を通してクランク６と後輪を駆動するベルト車を兼ねたクランク５はシャフト２０に依って一体化している。クランク６と５にシャフト１１を通して、遊星歯車４と、回転腕７は、シャフト１１を介してそれぞれ一体化している。３の歯車は、固定歯車２と遊星４の伝動用である。固定歯車２と遊星歯車４の径の対比は、２対１である。したがってクランク６と５が左一回転すると、遊星歯車４と回転腕６は右へ１回転する。クランクの長さと回転腕の長さの対比は２対１である、依ってペダルの動きは図７に示したものである。
【００１１】  図７は、図３のクランクギヤの動きを表わしたものである。クランク６と５は、破線、回転腕７は実線で、ペダルは０で示している。
【図面の簡単な説明】
【００１２】
【図１】  図２の矢印方向の平面から見た断面図である
【図２】  左側から見た側面図で固定プ−リ−と遊星プ−リ−は、ベルトで連動する
【図３】  図４の平面からの断面図である
【図４】  ベルトとかチェ−ンでなく歯車を使ったもので動きは、図２とおなじです
【図５】  円形と楕円との周回軌道の長さの違いを表わしたもの
【図６】  踏む位置で力の強さの違いを表わしたもの
【図７】  図３−４のクランク、回転腕、ペダルの動きを表わしたもの
【図８】  図１−２のクランク、回転腕、ペダルの動く方向を表わしたもの
【符号の説明】
【００１３】  １    ボス
２    固定ギヤ
３    伝動ギヤ
４    遊星ギヤ
５    ベルト車
６    クランク
７    回転腕
８    ペダル
１０    伝動ギヤのシャフト
１１    遊星ギヤと回転腕を一体化しているシャフト
１２    ボスに固定したプ−リ−
１３    遊星プ−リ−
１４    ベルト車
１５    クランク
１６    回転腕
１７    遊星プ−リ−と回転腕を一体化しているシャフト
１８    ベルト
１９    後輪へ伝動しているベルト
２０    センタ−シャフト
【図１】
2008201397.tif 000003
【図３】
2008201397.tif 000004
【図４】
2008201397.tif 000005
【図５】
2008201397.tif 000006
【図６】
2008201397.tif 000007
【図７】
2008201397.tif 000008
【図８】
2008201397.tif 000009
【手続補正書】
【提出日】平成19年5月7日(2007.5.7)
【手続補正１】
【補正対象書類名】図面
【補正対象項目名】全図
【補正方法】変更
【補正の内容】
【図１】
2008201397.tif 000010
【図２】
2008201397.tif 000011
【図３】
2008201397.tif 000012
【図４】
2008201397.tif 000013
【図５】
2008201397.tif 000014
【図６】
2008201397.tif 000015
【図７】
2008201397.tif 000016
【図８】
2008201397.tif 000017
(57)【要約】【課題】船舶の新造船、修理船の清掃管理に一船１１階で２００００個から２８０００個の船床鋼板デッキ穴から水滴、塵等が床下に落下しない様、その床穴にシールすることにより、従来の掃除機、又、人手により労力がかかっていた事を改善する事を目的とする。【解決手段】上記の課題を解決する為に、機能性樹脂に磁性粉末入成型品開発により、磁力で強力に密着する事により解決。【選択図】図１
2008201399.tif 000002
【特許請求の範囲】
【請求項１】
船舶床用室壁用マグネットシールは、マグネットの磁力によって気密が強く接着も簡単で作業性が良い事を手段とする。この事を特徴とする船舶床用壁用マグネットシール。
【請求項２】
船舶床用室壁用マグネットシールは、取付け、取外しが簡単に出来る請求項１に記載の船舶床用壁用マグネットシール。
【請求項３】
床穴から下方向に水滴、塵等の落下をしない様、マグネットシールを床穴より大きくし、糊付を片面に付け密着度をよくする事を目的とするマグネットシール。
【請求項４】
船舶床用壁用マグネットシールの使用後の後処理として、洗浄、保管の管理が簡単に出来る事を特徴としている請求項２、又は、３に記載の船舶床用壁用マグネットシール。
【請求項５】
船舶床用壁用マグネットシールは、安価で経済的に優れた事を特徴とする請求項２、３、４のいずれかに記載の船舶床用壁用マグネットシール。
【発明の詳細な説明】
【技術分野】
【０００１】本発明は、自動車運搬船のデッキ穴、壁穴に係わり、穴カバーの取付け、取外しが簡単で、作業性がよく耐久性に優れた自動車運搬船用ラッシングホール、壁穴シールキャップに関する。
【背景技術】
【０００２】従来は自動車運搬船のデッキ穴、壁穴は蓋がほどこされてなく、下方に水滴、塵、ゴミが落下し、掃除機及び、人手による清掃に労力がかかっていた。
【発明の開示】
【発明が解決しようとする課題】
【０００３】上記の自動車運搬船用デッキ穴、壁穴用に新技術を発明。機能性樹脂を磁性粉末入りとし、射出成型、コンパウンド成型し、任意の形状にし、糊付も併用し、デッキ穴、壁穴に摘要、課題を解決した。【０００４】自動車運搬船用デッキ穴、壁穴に蓋なしにて、水滴、塵、ゴミの掃除、管理が現状、労力費がかかっている。
【課題を解決する為の手段】
【０００５】本発明は、機能性樹脂に磁性粉末をコンパウンドし成型、簡単に取付け、取外し出来る手段を特徴とし、問題を解決した。
【発明の効果】
【０００６】本発明により、デッキ穴、壁穴より水滴の漏れ、ゴミ、塵の漏れがなく取扱、作業性に富み、管理が簡単に出来、安価である事から効果は抜群の運搬船用ラッシングホール壁穴用マグネットシールである。
【発明を実施するための最良の形態】
【０００７】樹脂マグネット入により強力な磁力になり、塵、水滴、ゴミを漏らさない構造になっている。【０００８】本発明を添付する図面に基づいて、以下詳細に説明をする。【０００９】図１に於いて、１は機能性樹脂、ナイロン、ＰＥＥＫ、ＰＥＩ、エラストマーに磁性粉末をコンパウンドしたもの。【００１０】図１−２は、合成樹脂、糊付テープを貼り付けたもの。【００１１】図２は、１１階の船床鋼板に開けてある穴の１個の切取図で、この鋼板の船床穴が一船で２００００個から２８０００個ある。
【図面の簡単な説明】
【００１２】
【図１】マグネットシールの見取図
【図２】船床鋼板穴の１箇の見取図
【符号の説明】
【００１３】１  マグネットシール
２  糊付テープ
【図１】
2008201399.tif 000003
【図２】
2008201399.tif 000004
(57)【要約】      （修正有）【課題】今まで、前方走行車両から後方走行車両へ走行情報の提供がとぼしく後方走行車両が前方走行車両へ追突事故を起こしている。  前方走行車両が後方走行車両へ走行状況、情報をあたえるリアワイパー追突防止装置を取り付け、後方走行車両運転手が走行状況、情報、を認識し、注意、注目し安全走行ができるリアワイパー追突防止装置を提供する。【解決手段】リアワイパーアーム（ｂ）に取り付け金具（ｃ）を取り付け、取り付け金具（ｃ）にリアワイパー追突防止装置（ｆ）を取り付けた事を特徴とする。【選択図】図１
2008201396.tif 000002
【特許請求の範囲】
【請求項１】
後方走行車両からの追突事故防止の為、リアワイパー追突防止装置を車両リアウインドのリアワイパーアームに取り付ける為の取り付け金具を設けた事を特徴とする。
【請求項２】
車両リアウインドのリアワイパーアームに取り付けた取り付け金具にリアワイパー追突防止装置を設けた事を特徴とする。
【発明の詳細な説明】
【技術分野】
【０００１】  この発明は、車両のリアウインドワイパーアームにリアワイパー追突防止装置を取り付け後方走行運転者の注目、注意を引きつけ後方からの追突事故を防止する事に関するものである。
【背景技術】
【０００２】  これまで、車両を運転する場合、安全走行対策は運転手のみに重点が置かれ前方車両が後方車両への情報提供が少ない。
【発明の開示】
【発明が解決しようとする課題】
【０００３】今まで、次の様な問題点があった。
これまで、追突防止の為、前方走行車が後方走行車へ注意を呼びかけるには、初心者マークや高齢者マークが使われている。
一般熟練運転手には、マークを取り付ける義務がなく、ほとんど取り外されている。
後方走行運転手が前方走行車両の情報確認には、ブレーキランプや車幅灯しかなく運転手が、長距離ドライブで重度の過労や注意力散漫脇見運転で注意力、反応、判断力が著しく低下した時、前方走行車の動きに対応できずブレーキングの遅れで前方走行車へ追突事故を起こしたり高速走行中の高速道路、トンネル内の玉突き事故においては、大勢の尊い人命が奪われる大惨事が今現在多発しており減る事がない。
本発明は、以上の問題を解決する為に発明されたものである。
【課題を解決する為の手段】
【０００４】車両運転手の視線の高さは、前方走行車両のリアウインドに取り付けられているリアワイパーの高さにある。
リアワイパーアームに、運転者の後方視界を妨げず、後方走行運転手の注目、注意を引き付け走行状況、情報を提供するリアワイパー追突防止装置を取り付ける。
【発明の効果】
【０００５】後方走行車両運転手は、前方走行車両のリアワイパーアームに、取り付けられたリアワイパー追突防止装置により視覚に刺激をあたえられ注目、注意、走行情報を受け取る。
後方走行運転手の、注意力低下が抑えられ安全走行をうながし追突事故を減らす事ができる。
【発明を実施する為の最良の形態】
【０００６】以下、本発明の実施例について説明する。
車両リアウインド（ａ）に取り付けられているリアワイパーアーム（ｂ）に取り付け金具（ｃ）を取り付けボルト（ｄ）を締め込み固定する。
取り付け金具（ｃ）に、スライド金具（ｅ）を差し込む。
スライド金具（ｅ）とリアワイパー追突防止装置（ｆ）は一体である。
【図面の簡単な説明】
【０００７】
【図１】  本発明の斜視図と実施例である。
【符号の説明】
【０００８】  （ａ）  車両リアウインド
（ｂ）  リアワイパーアーム
（ｃ）  取り付け金具
（ｄ）  ボルト
（ｅ）  スライド金具
（ｆ）  リアワイパー追突防止装置
【図１】
2008201396.tif 000003
(57)【要約】【課題】  降雨時に雨にぬれることなく、さらに、腰をかがめる等の窮屈な姿勢を解消して、自動車の乗降と傘の開閉が楽な姿勢で行えるように、自動車の屋根よりも高い位置に庇を張り出す自動車乗降口の雨よけ装置を提供する。【解決手段】  本発明における自動車乗降口の雨よけ装置は、雨を遮断する庇１と庇１の張り出しと収納を行うために回転するアーム２と、アーム２を駆動するモーター３と、アーム２と連動して回転し庇１の移動をスムーズにすると共に、張り出した状態の庇１を安定させる役割の補助アーム４と、横からの雨の吹き込みを防ぐための側壁５と、庇１の張り出し位置にアーム２を固定し支える役割のストッパー６で構成され、台座７にアーム２とモーター３と補助アーム４とストッパー６を取り付けてある。【選択図】図１
2008201395.tif 000002
【特許請求の範囲】
【請求項１】
自動車の乗降口に設ける雨よけ装置において、雨よけ用の庇をアームと連動して移動し、アームで支えて張り出すことにより、庇を車高よりも高い位置に張り出す構成の自動車乗降口の雨よけ装置。
【請求項２】
請求項１記載の自動車乗降口の雨よけ装置において、庇の移動中と張り出し時の安定性を確保するためにアームと連動する補助アームを取り付け、さらにアーム又は補助アームに側壁を取り付けて雨の吹き込みを防ぐようにした装置。
【発明の詳細な説明】
【技術分野】
【０００１】  本発明は自動車の乗降口に用いる雨よけ用庇の機能と形状に関する。
【背景技術】
【０００２】  降雨時に自動車に乗り込む時、まずドアを開けて傘を折りたたんでから乗り込み、ドアを閉め、自動車から降りる時には、ドアを開け、自動車から降りた後に傘を広げる動作が一般的である。従って、降雨時における自動車の乗降は濡れることが避けられなかった。【０００３】  そこで、問題を解決するために従来から下記特許文献１，２に示される自動車用雨よけ装置が提案されている。【０００４】  特許文献１によれば、自動車のドアが開いたときに、自動車のルーフとドア上部の間に扇子状のルーフが開き、ドアを閉じると扇子状のルーフが格納される装置が公開されている。（特許文献１参照）【０００５】  一方、特許文献２によれば、雨よけシートと巻取り軸、巻取り軸を回転自在に支持する支持部材と、巻取り軸を巻取り方向へ付勢する付勢部材とで構成される装置を、永久磁石によりルーフのドア付近に取り付けた状態で、雨よけシートを車体ルーフよりも側方へ張り出すように展開可能とした自動車用雨よけ装置が公開されている。（特許文献２参照）【０００６】  特許文献１  特開２００５−１１２３２１号  公報
特許文献２  特開２００２−０２９２６３号  公報
【発明が解決しようとする課題】
【０００７】  特開２００５−１１２３２１におけるルーフと特開２００２−０２９２６３におけるシートは、雨よけ装置の張り出し位置が車高程度の高さであり、大人の平均身長よりも低いため、雨に濡れた傘をたたんで乗車し、降車してから傘を開くという乗降車時の一連の行動を、腰をかがめた窮屈な姿勢で行わなければならない。
【課題を解決するための手段】
【０００８】  本発明は、自動車乗降口に張り出す雨よけ用の庇をアームで支えることにより、車高よりも最大１００センチメートル高い位置に庇を張り出し、楽な姿勢での乗降車を可能としたことを最も主要な特徴とする。
【発明の効果】
【０００９】  本発明により、降雨時における自動車の乗降車に際し、傘をたたんで乗車する時と降車して傘を開く時の腰をかがめる不都合を解消し、楽な姿勢で濡れずに乗降車することができる。
【発明を実施するための最良の形態】
【００１０】  雨よけ装置を自動車の屋根上に装着し、ドアが開いて人が乗り降りする時に、乗降口に庇を高く張り出して雨よけの役割を果たし、走行時には庇を屋根上の元の位置に収納するという目的を実現し、付随する問題点を解決した。
【実施例１】
【００１１】  図３に示される自動車の屋根上に装着された雨よけ装置は、自動車のドアが開くと同時に電動モーター３が起動して正回転することにより、アーム２と補助アーム４が同時にドア方向へ回転し、庇１が位置を高めながらドア方向へ移動して、図４の形態を経て、図１に示されるように乗降口の上方に張り出される。【００１２】  この時、アーム２がストッパー６によって固定されるため、庇１の張り出し位置は常に一定である。
【実施例２】
【００１３】  自動車のドアが閉まると同時に電動モーター３が起動して逆回転する事により、アーム２と補助アーム４が自動車の屋根方向へ回転し、図１の状態にあった庇１が位置を低めながら、図４の形態を経て、図３に示されるように台座７に戻り収納される。
【図面の簡単な説明】
【００１４】
【図１】  自動車乗降口の雨よけ装置の庇１を乗降口に張り出した状態の斜視図である。
【図２】  図１における自動車乗降口の雨よけ装置単体を拡大した斜視図である。
【図３】  自動車乗降口の雨よけ装置の庇１を台座７に収納した状態の斜視図である。
【図４】  自動車乗降口の雨よけ装置の庇１を展開する時と収納する時の移動途中の形態を現す装置単体の斜視図である。
【符号の説明】
【００１５】  １  庇
２  アーム
３  電動モーター
４  補助アーム
５  側壁
６  ストッパー
７  台座
【図１】
2008201395.tif 000003
【図２】
2008201395.tif 000004
【図３】
2008201395.tif 000005
【図４】
2008201395.tif 000006
(57)【要約】      （修正有）【課題】ラップがカットし難い、又、カット出来ず引きちぎったという事や、容器を落下したり、中身をこぼしたりするという不具合はおきず、容易にカッティングする事が出来るラップカッターケースの提供。  【解決手段】ラップは破りにくいが、切込みを入れるとい簡単に裂く事が出来るという特徴を利用し、ラップケースの上蓋の両サイドからカッターが飛出す事により、ラップの淵がカットされて、容易にラップ全体がカット出来るというカッター動作構造を持つラップケースを作成する。【選択図】図２
2008201474.tif 000002
【特許請求の範囲】
【請求項１】
ラップカッターのケース全体をプラスチック製で作成した物
【請求項２】
既存の紙製であるラップケースをそのまま利用した物
【発明の詳細な説明】
【技術分野】
【０００１】  本発明は、台所用ラップケースに関するものであり、ラップをカットする部分に改良を加える事により、容易にカットできる様にしたものである。
【背景技術】
【０００２】  従来から、台所用ラップにはケースの上蓋にノコギリ歯状のカッターは、添付けしてある。【特許文献１】不明
【特許文献２】不明
【発明の開示】
【発明が解決しようとする課題】
【０００３】  従来の様なノコギリ歯状のカッターだけでは、容易にカットする事はできず、容器をラップで蓋い左手（右）で容器を掴み、右手（左）でラップケースを持ってカットする場合、２度３度とケースを振ってようやくカット出来たり、カット出来ずに力で引き千切ったりしていた。又、切れない為、勢い余って容器を落下させたり、中身をこぼしたりもしていた。本発明は、この様な不都合を解決する事を課題とする。
【課題を解決する為の手段】
【０００４】  この課題を解決する為の請求項１の発明は、ノコギリ歯状カッターの付いたプラスチック製のラップケースを作成し、ケース上蓋の両サイドにラップの淵をカットする為の上下動作カッターを取付ける。使用者が、カットしたい時にボタンを押す事により、ラップの淵がカットされて容易にラップ全体がカット出来る。これは、ラップは破れにくいが切込みを入れると簡単に裂く事が出来るという特徴を利用したものである。
【０００５】  また、請求項２の発明は、既存のラップケース（紙製）に［０００４］と同一の動作構造を組み込んだものである。ただし、淵切りカッターは、プラスチック製（危険防止）であり、押しボタンはケースの一部（紙製）を利用したものである。
【発明の効果】
【０００６】  本発明により、ラップがカットし難い。又、カット出来ず引きちぎったという事や、容器を落下したり、中身をこぼしたりするという不具合はおきず、容易にカッティングする事が出来る。
【発明を実施する為の最良の形態】
【０００７】  請求項１の発明の形態は、図１，２で示すような、ノコギリ歯状カッターの付いたプラスチック製のラップケースを作成し、ケース上蓋の両サイドにラップの淵をカットする為の上下動作カッターを取付ける。動作の仕組みは図３，４で示す様に、ボタンを押す事により、両サイドのカッターが飛び出しラップの淵をカットするという形態である。飛び出したカッターはボタン下のバネによりケース上蓋内に戻る。  ※カッターが両サイドにある理由は、右利き左利きの両方に対応する為。
【０００８】  請求項２の発明は、請求項１と動作形態は同一である。異なる点は、既存のラップケース（紙製）を利用したもので、両サイドのカッターは外部に露出する為、プラスチック製（危険防止）とし、飛び出したカッターはボタン部分にあるゴムによりケース上蓋内に戻る。
【産業上の利用可能性】
【０００９】  本発明に係るラップカッターは、工業的に量産する事が可能である為、産業上の利用可能性を有する。
【図面の簡単な説明】
【００１０】
【図１】ケースからラップを引き出した状態
【図２】ボタンを押すとカッターが飛出し、ラップの両サイドをカットした状態
【図３】ケース正面から見た内部のカッター動作構造
【図４】ボタンを押しカッターが飛出した状態の動作構造
【図５】ケース内部の平面図
【図６】ケース内部の右側面図
【図７】既存ラップケース（紙製）の動作構造→使用前
【図８】既存ラップケース（紙製）の動作構造→ケース本体からボタン部分を立体型に作り起こす。
【図９】既存ラップケース（紙製）の動作構造→ボタンを押すとカッターが飛出しラップをカットする。ボタンはゴムで戻りカッターも上蓋内に戻る。
【図１】
2008201474.tif 000003
【図２】
2008201474.tif 000004
【図３】
2008201474.tif 000005
【図４】
2008201474.tif 000006
【図５】
2008201474.tif 000007
【図６】
2008201474.tif 000008
【図７】
2008201474.tif 000009
【図８】
2008201474.tif 000010
【図９】
2008201474.tif 000011